(57)【要約】商品、特に腕時計もしくは筆記具を固定位置に受容するための装置に、皿状の下部分（Ｕ）および皿状の上部分（Ｏ）から成る容器（Ｂ）を備え、かつ受容する商品（Ａ）のために容器に設けられた少なくとも１つの締着要素を備える。各締着要素は、一対のクリップとして構成され、下部分（Ｕ）に配置された弾性的下部分保持要素（１０）と、上部分（Ｏ）に配置された弾性的上部分保持要素（２０）とから成る。２つの保持要素（１０、２０）がクリップの対を形成し、かつ相互作用して、容器（Ｂ）の上部分（Ｏ）が下部分（Ｕ）上に置かれたときに、容器内に置かれた商品（Ａ）が保持要素の間に弾性的に挟着される。その結果、商品は最低限の構造的費用でその形状および寸法に実質的に関わりなく完全に所定位置に固定される。
2005527435.tif 000002
【特許請求の範囲】
【請求項１】
商品、特に腕時計もしくは筆記具を固定位置に受容するための、皿状の下部分（Ｕ）と皿状の上部分（Ｏ）から成る容器（Ｂ）を備え、かつ受容する商品（Ａ）のために容器に設けられた少なくとも１つの締着要素を備える装置において、各締着要素が一対のクリップとして構成され、下部分（Ｕ）に配置された弾性的下部分保持要素（１０）と、上部分（Ｏ）に配置された弾性的上部分保持要素（２０）とから成り、２つの保持要素（１０、２０）がクリップの対を形成し、かつ相互作用して、容器（Ｂ）の上部分（Ｏ）が下部分（Ｕ）上に置かれたときに、容器内に置かれた商品（Ａ）が保持要素の間に弾性的に挟着されることを特徴とする装置。
【請求項２】
容器（Ｂ）の下部分（Ｕ）に配置された下部分保持要素（１０）が下部分（Ｕ）の開口側から見て凹状となることを特徴とする請求項１に記載の装置。
【請求項３】
容器（Ｂ）の上部分（Ｏ）に配置された上部分保持要素（２０）が上部分（Ｏ）の開口側から見て凸状となることを特徴とする前記請求項の一項に記載の装置。
【請求項４】
保持要素（１０、２０）が容器（Ｂ）の上部分（Ｏ）または下部分（Ｕ）の１つの側壁から上部分（Ｏ）内または下部分（Ｕ）内にそれぞれ延び出るように構成されることを特徴とする前記請求項の一項に記載の装置。
【請求項５】
保持要素（１０、２０）が把持スプリングとして構成されることを特徴とする前記請求項の一項に記載の装置。
【請求項６】
保持要素（１０）の少なくとも１つが２つの保持要素区分（１１、１２）から形成され、保持要素区分が容器（Ｂ）の上部分（Ｏ）または下部分（Ｕ）の対向する側壁から上部分（Ｏ）または下部分（Ｕ）内にそれぞれ延び出ていることを特徴とする請求項５に記載の装置。
【請求項７】
保持要素が弾性キャップ（３０、４０）として構成され、容器（Ｂ）の上部分（Ｏ）が下部分（Ｕ）上に置かれたときにキャップの凸状側が相互に対面する状態の対を成して相互に対向配置されることを特徴とする請求項１に記載の装置。
【請求項８】
保持要素（１０、２０）が、その相互に対面する側に摩擦強化手段（１３、１４）を有することを特徴とする前記請求項の一項に記載の装置。
【請求項９】
保持要素（１０、２０）が容器（Ｂ）の上部分（Ｏ）または下部分（Ｕ）に一体に構成されることを特徴とする前記請求項の一項に記載の装置。
【請求項１０】
保持要素（１０、２０）を本質的に透明とすることを特徴とする前記請求項の一項に記載の装置。
【発明の詳細な説明】
【技術分野】
【０００１】
本発明は、商品、特に腕時計もしくは筆記具を独立請求項のプリアンブルにしたがって固定位置に受容する装置に関する。
【背景技術】
【０００２】
腕時計や筆記具等、多くの商品がしばしば透明なプラスチック容器（ケース）内で販売に供される。その場合に、商品を所定位置に固定し、また特に輸送中の損傷を防止するため、締着要素が概ね容器内に設けられる。成形インサート、プラスチック・ホルダ、ラバー・ホルダ、微孔性ラバー・ホルダ、可撓性圧力ホルダ（クリップ）が締着要素として大抵使用される。
【０００３】
従来知られている締着要素は、構造的に比較的高価であったり、商品の形状や寸法に合わせて調整が必要であったり、或いは商品の自由な視界を妨げたりした（特に、知られている圧力ホルダの場合）。その上、知られている締着要素には、商品の装着と取外しが比較的に複雑で、比較的に高い損傷のリスクに関連するものもある。
【発明の開示】
【発明が解決しようとする課題】
【０００４】
本発明の結果、これらの短所が取り除かれ、前述したタイプの装置が改良されるため、商品を最小限の構造的費用で、即ち形状や寸法に実質的に関わりなく完全に所定位置に固定することが可能とされる。言い換えれば、最小限の構造的費用で製造可能な、様々な商品を受容し、完全かつ確実に商品を所定位置に固定するのに適した普遍的に使用可能な装置が提供される。
【課題を解決するための手段】
【０００５】
本発明の基礎を成すこの問題の解決策は、独立請求項の特徴部に記載の特徴から明白である。とりわけ有利な構成および他の展開は従属請求項の目的物とする。
【０００６】
したがって、本発明の最も一般的概念によれば、締着要素はクリップの対として構成され、各対の一方のクリップが容器の上部分と下部分にそれぞれ配置される。容器の開口時には、商品を容器の下部分内に挿入するか、或いは下部分から難なく取り外すことができる。容器の閉鎖時、即ち上部分が下部分上に置かれたときには、クリップの対の２つのクリップが商品をその間に挟持し、確実に所定位置に固定する。この場合、クリップの対を弾性的構成とするため、同一装置によって様々な寸法の商品を効果的に所定位置に固定することができる。
【０００７】
本発明の特に有利な態様によれば、保持要素すなわちクリップの対が把持スプリングとして構成され、容器の下部分と上部分の側壁から下部分または上部分の内部にそれぞれ延びだしている。この構成は、構造的にとりわけ簡潔とされ、その上、所定位置に固定される商品に対して最小限の被覆を要するのみとされる。さらに有利な実施態様によれば、保持要素は透明な材料製とされ、商品の視界を事実上まったく妨げない。
【発明を実施するための最良の形態】
【０００８】
以下に、本発明を図面に基づいてさらに詳細に説明する。
【０００９】
図１に示す装置は、外見からは平行六面体の古典的なケースに見える。この装置は、包括的符号Ｂを付す容器で、皿状の下部分Ｕと皿状の上部分すなわちカバーＯから成る。図示の通り、かつ知られている通り、上部分Ｏは下部分Ｕにヒンジ止めされ、したがって開くことができるが、下部分から完全に取外し可能な構成とすることも可能とされる。さらに、錠止要素（図示せず）を設ければ、容器Ｂの閉鎖状態時に上部分Ｏが下部分Ｕから偶然に外れることを防止することができる。そのような錠止要素は、知られているロッキング・バーもしくはスナップ機構により形成である。容器Ｂの外部形状は受容される商品次第によることであり、本発明の重要事ではない。
【００１０】
容器Ｂには、受容される商品、図示の実施形態では腕時計Ａのための締着要素が設けられる。本発明の最重要の概念によれば、この締着要素は、対で相互作用し、容器Ｂの下部分Ｕと上部分Ｏの両者にそれぞれ配置された弾性の保持要素１０、２０により構成されている。２つの保持要素１０、２０の各対は、容器Ｂの上部分Ｏが下部分Ｕの上に置かれたときに容器内に位置する商品Ａを各対の間に弾性的に挟持する。したがって保持要素１０、２０は、クリップの弾性的対を形成する。
【００１１】
特に図２から分かるように、保持要素１０、２０は、上下に弾撥する。この場合に上下とは、容器Ｂの下部分Ｕを下とし上部分Ｏを上とする使用中閉鎖時の本装置の通常位置を指していう。
【００１２】
２つの弾性的保持要素を備える本発明のクリップの対により達成される商品の締着は、同等の従来締着要素による場合より格段によいことが判明した。
【００１３】
保持要素１０、２０の対の数は、所定位置に固定される商品のタイプ次第である。腕時計もしくは筆記具（万年筆、ペンシル等）の場合は、二対で概ね十分である。一対でも特殊な場合には十分であろう。
【００１４】
図１、２および図４〜７に示す実施形態においては、保持要素１０、２０は把持スプリングとして構成され、それぞれ容器Ｂの下部分Ｕまたは上部分Ｏの側壁から内側に延びだしている。この場合、把持スプリングは、容器の同じ側部または対向する両側部に取り付けられる。しかし、図８の実施形態に示すように、把持スプリングは、下部分Ｕもしくは上部分Ｏの内壁に水平（通常使用位置）に取り付けることも可能である。
【００１５】
把持スプリング１０、２０は、図示のように、湾曲して、下部分Ｕの把持スプリングすなわち保持要素１０は下部分の開口側から見て凹面を成し、受容される商品のための一種の凹みを形作っていることが好ましい。上部分Ｏの把持スプリングすなわち保持要素２０は逆方向に曲がり、即ち下部分の開口側から見て凸面となっている。しかし、所定位置に保持される商品の外形により、把持スプリングを平らにしたり、或いは他の方向に曲げることもできる。同様に、所望により湾曲や平坦の把持スプリングのいかなる組合せも可能である。
【００１６】
図４に示すように、保持要素１０、２０は、下部分１０または上部分２０の対向側に取り付けられ、そこから内側に延びだしている２つの保持要素区分１１、１２とすることもできる。
【００１７】
図６によれば、保持要素１０、２０は、２つもしくは多岐フィンガを備える特殊構成（櫛状構成）とすることもできる。それによって複雑な構造の商品に対してその外形への適応が向上し、したがって締着効果が向上する。
【００１８】
締着効果を増強するため、保持要素１０、２０の、特に相互に面している側に摩擦強化手段をさらに備えることができる。そのような摩擦強化手段は、例えば、リブやそれに類する形態１３（図７）またはフォーム・ラバー・コーティング等の摩擦強化層１４（図５）により形成可能である。
【００１９】
図２にさらに示すように、把持スプリングとして構成された保持要素１０、２０は、折り曲げにより両者間に商品の受容域１５を形成することもできる。当然、この受容域１５は、この位置に受容される商品の寸法よりクリアランス高さを小としなければならず、さもないと挟着効果を得られない。しかし、２つの保持要素１０、２０の折り曲げの結果、商品に対する横への止めが形成され、それによって固定がさらに向上する。もちろん、これは保持要素１０、２０に対する他に適切な形態によっても達成できる。
【００２０】
図３は本発明によるさらに別の実施形態を示し、この保持要素は把持スプリングに代えてフレキシブル・キャップ３０、４０として構成され、このフレキシブル・キャップはそれぞれ対で相互作用し、容器Ｂの閉鎖時には中に置かれた商品をキャップ間で弾性挟着する。一方のキャップ３０は、下部分Ｕの基部に取り付けられ、そこから上向きに延びだしている。他方のキャップ４０は、上部分Ｏの内側上壁（カバーの基部）に取り付けられ、そこから下向きに延びだしている。キャップ３０、４０は、中空（例えばキャップ４０）としてもよし、或いは中実（例えばキャップ３０）としてもよい。いずれの場合も、キャップは適度に柔らかくかつ弾性的にフレキシブルな材料製とされる。
【００２１】
図８は、本発明によるまた別の実施形態を示す。この実施形態においては、容器Ｂが相互に隣り合う商品６個を受容する構成とされる。そのため、六対の保持要素１０、２０が２つずつ配置され、２つの隣り合う保持要素１０、２０が、上部分Ｏの内側上壁（カバーの基部）または下部分Ｕの基部に取り付けられた接続支持部１６または２６からそれぞれに延びている。もちろん、本発明による装置または容器Ｂは、保持要素の対１０、２０をより少数またはより多数含むことが可能である。また、必ずしも保持要素の対１０、２０をすべて同形式としなければならないものでもない。
【００２２】
保持要素１０、２０および３０、４０は、容器Ｂと無関係の要素として製造し、容器Ｂの下部分Ｕまたは上部分Ｏ内に入れて、そこに適切に固定することができる。その場合、保持要素は容器Ｂの材料（ポリプロピレン）と異なる材料（熱可塑性ポリマー）により構成させることもできる。しかし、保持要素は容器Ｂの下部分Ｕまたは上部分Ｏと同材料（ポリプロピレン等）による構成とし、下部分Ｕまたは上部分Ｏと一体に形成することが好ましい。それによって、本発明による装置の格別に簡潔かつ安価な製造が射出成形等により可能となる。容器Ｂの上部分Ｏが透明の場合には、少なくとも上部分Ｏの保持要素２０と４０をも透明として、容器Ｂ内に置かれた商品の視界を極力遮らないことが好ましい。
【図面の簡単な説明】
【００２３】
【図１】開口状態かつ商品として腕時計が挿入された本発明による装置の第１実施形態の模式的斜視図である。
【図２】閉鎖かつ商品を挿入しない状態の図１による装置のＩＩ−ＩＩ線断面図である。
【図３】本発明による装置の別の実施形態を示す図２に同様の断面図である。
【図４】細部の変形を示す図２に同様の断面図である。
【図５】別の細部変形を示す図２に同様の断面図である。
【図６】さらに別の細部変形を示す平面図である。
【図７】また別の細部変形を示す図２に同様の断面図である。
【図８】本発明による装置のさらにまた別の実施形態を示す図２に同様の断面図である。
【図１】
2005527435.tif 000003
【図２】
2005527435.tif 000004
【図３】
2005527435.tif 000005
【図４】
2005527435.tif 000006
【図５】
2005527435.tif 000007
【図６】
2005527435.tif 000008
【図７】
2005527435.tif 000009
【図８】
2005527435.tif 000010
【手続補正書】
【提出日】平成16年10月14日(2004.10.14)
【手続補正１】
【補正対象書類名】特許請求の範囲
【補正対象項目名】全文
【補正方法】変更
【補正の内容】
【特許請求の範囲】
【請求項１】
商品、特に腕時計もしくは筆記具を固定位置に受容するための、皿状の下部分（Ｕ）と皿状の上部分（Ｏ）から成る容器（Ｂ）を備え、かつ受容する商品（Ａ）のために容器に設けられた少なくとも１つの締着要素を備える装置において、各締着要素が一対のクリップとして構成され、下部分（Ｕ）に配置された弾性的下部分保持要素（１０）と、上部分（Ｏ）に配置された弾性的上部分保持要素（２０）とから成り、２つの保持要素（１０、２０）がクリップの対を形成し、かつ相互作用して、容器（Ｂ）の上部分（Ｏ）が下部分（Ｕ）上に置かれたときに、容器内に置かれた商品（Ａ）が保持要素の間に弾性的に挟着され、容器（Ｂ）の下部分（Ｕ）に配置された下部分保持要素（１０）が下部分（Ｕ）の開口側から見て凹状となり、容器（Ｂ）の上部分（Ｏ）に配置された上部分保持要素（２０）が上部分（Ｏ）の開口側から見て凸状となることを特徴とする装置。
【請求項２】
保持要素（１０、２０）が容器（Ｂ）の上部分（Ｏ）または下部分（Ｕ）の１つの側壁から上部分（Ｏ）内または下部分（Ｕ）内にそれぞれ延び出るように構成されることを特徴とする請求項１に記載の装置。
【請求項３】
保持要素（１０、２０）が把持スプリングとして構成されることを特徴とする前記請求項の一項に記載の装置。
【請求項４】
保持要素（１０）の少なくとも１つが２つの保持要素区分（１１、１２）から形成され、保持要素区分が容器（Ｂ）の上部分（Ｏ）または下部分（Ｕ）の対向する側壁から上部分（Ｏ）または下部分（Ｕ）内にそれぞれ突出することを特徴とする請求項３に記載の装置。
【請求項５】
保持要素が弾性キャップ（３０、４０）として構成され、容器（Ｂ）の上部分（Ｏ）が下部分（Ｕ）上に置かれたときにキャップの凸状側が相互に対面する状態の対を成して相互に対向配置されることを特徴とする請求項１に記載の装置。
【請求項６】
保持要素（１０、２０）が、その相互に対面する側に摩擦強化手段（１３、１４）を有することを特徴とする前記請求項の一項に記載の装置。
【請求項７】
保持要素（１０、２０）が容器（Ｂ）の上部分（Ｏ）または下部分（Ｕ）に一体に構成されることを特徴とする前記請求項の一項に記載の装置。
【請求項８】
保持要素（１０、２０）を本質的に透明とすることを特徴とする前記請求項の一項に記載の装置。
【請求項９】
商品、特に腕時計もしくは筆記具を固定位置に受容するための、皿状の下部分（Ｕ）と皿状の上部分（Ｏ）から成る容器（Ｂ）を備え、かつ受容する商品（Ａ）のために容器に設けられた少なくとも１つの締着要素を備える装置において、各締着要素が一対のクリップとして構成され、下部分（Ｕ）に配置された弾性的下部分保持要素（１０）と、上部分（Ｏ）に配置された弾性的上部分保持要素（２０）とから成り、２つの保持要素（１０、２０）がクリップの対を形成し、かつ相互作用して、容器（Ｂ）の上部分（Ｏ）が下部分（Ｕ）上に置かれたときに、容器内に置かれた商品（Ａ）が保持要素の間に弾性的に挟着されることと、保持要素が弾性キャップ（３０、４０）として構成され、容器（Ｂ）の上部分（Ｏ）が下部分（Ｕ）上に置かれたときにキャップの凸状側が相互に対面する状態の対を成して相互に対向配置されることとを特徴とする装置。
【請求項１０】
保持要素（１０、２０）が、その相互に対面する側に摩擦強化手段（１３、１４）を有することを特徴とする請求項９に記載の装置。
【請求項１１】
保持要素（１０、２０）が容器（Ｂ）の上部分（Ｏ）または下部分（Ｕ）に一体に構成されることを特徴とする前記請求項９または１０の一項に記載の装置。
【請求項１２】
保持要素（１０、２０）を透明とすることを特徴とする前記請求項９から１１の一項に記載の装置。
【国際調査報告】
2005527435.tif 000011
2005527435.tif 000012
2005527435.tif 000013
2005527435.tif 000014
2005527435.tif 000015